(57)【要約】【課題】動画像の内容把握を容易とする。【解決手段】実施形態の表示プログラムは、コンピュータに、動画像の近傍において、動画像のシーン別に分割した複数のインデックスごとのシーンの内容を示すテキストと、動画像の再生位置を示す再生バーとを表示する処理を実行させる。また、表示プログラムは、コンピュータに、再生バーに複数のインデックスのそれぞれに対応するインジケータを配置する処理を実行させる。【選択図】図６
2017092654.tif 000002
【特許請求の範囲】
【請求項１】
コンピュータに、
動画像の近傍において、前記動画像のシーン別に分割した複数のインデックスごとの前記シーンの内容を示すテキストと、前記動画像の再生位置を示す再生バーとを表示し、
前記再生バーに前記複数のインデックスのそれぞれに対応するインジケータを配置する
処理を実行させることを特徴とする表示プログラム。
【請求項２】
前記表示する処理は、前記複数のインデックスごとのテキストを、前記シーンの登場順に均等間隔に表示する
ことを特徴とする請求項１に記載の表示プログラム。
【請求項３】
前記配置する処理は、前記複数のインデックスのそれぞれに対応するインジケータについて、前記複数のインデックスごとのテキストの表示態様に応じた表示態様のインジケータを配置する
ことを特徴とする請求項１又は２に記載の表示プログラム。
【請求項４】
前記インジケータの指示を受け付け、
前記指示を受け付けたインジケータのインデックスに対応するテキストの内容を前記インジケータの近傍に表示する処理を更にコンピュータに実行させる
ことを特徴とする請求項１乃至３のいずれか一項に記載の表示プログラム。
【請求項５】
前記動画像の近傍における所定領域での指示を受け付ける処理を更にコンピュータに実行させ、
前記表示する処理は、前記所定領域での指示を受け付けた場合に、再生中のインデックスのテキストを表示する
ことを特徴とする請求項１に記載の表示プログラム。
【請求項６】
コンピュータが、
動画像の近傍において、前記動画像のシーン別に分割した複数のインデックスごとの前記シーンの内容を示すテキストと、前記動画像の再生位置を示す再生バーとを表示し、
前記再生バーに前記複数のインデックスのそれぞれに対応するインジケータを配置する
処理を実行することを特徴とする表示方法。
【請求項７】
表示部と、
動画像の近傍において、前記動画像のシーン別に分割した複数のインデックスごとの前記シーンの内容を示すテキストと、前記動画像の再生位置を示す再生バーとを前記表示部に表示させ、前記再生バーに前記複数のインデックスのそれぞれに対応するインジケータを表示させる表示制御部と
を有することを特徴とする表示装置。
【発明の詳細な説明】
【技術分野】
【０００１】
本発明の実施形態は、表示プログラム、表示方法および表示装置に関する。
【背景技術】
【０００２】
近年、ＰＣ（パーソナルコンピュータ）やスマートフォンなどのコンピュータ上での動画像の再生（表示）が盛んに行われている。例えば、サーバ装置にアップロード（投稿）された動画像をＰＣやスマートフォンなどの端末装置でダウンロードして再生することで、多くの人が動画像を楽しんでいる。この動画像再生においては、動画像を所定の抽出タイミングで抽出した複数のインデックス画像を表示して動画像の内容を把握し得るようにしている。
【先行技術文献】
【特許文献】
【０００３】
【特許文献１】特開平６−１５３１３０号公報
【特許文献２】特開平１０−７９９２１号公報
【発明の概要】
【発明が解決しようとする課題】
【０００４】
しかしながら、上述した従来技術では、動画像における一部分のインデックス画像から動画像の内容を把握するため、動画像の内容がどの様な構成になっているのかを容易に把握することが困難な場合がある。
【０００５】
例えば、旅館を説明する動画像において、廊下から客室に入って客室内を表示するシーンのインデックス画像を廊下の画像から抽出しているものとする。この場合、ユーザは、抽出された廊下のインデックス画像から動画像に旅館の廊下のシーンが含まれていることは判断できる。しかしながら、廊下のインデックス画像から動画像に客室内のシーンが含まれていることまで判断することは難しい。
【０００６】
１つの側面では、動画像の内容把握を容易とする表示プログラム、表示方法および表示装置を提供することを目的とする。
【課題を解決するための手段】
【０００７】
第１の案では、表示プログラムは、コンピュータに、動画像の近傍において、動画像のシーン別に分割した複数のインデックスごとのシーンの内容を示すテキストと、動画像の再生位置を示す再生バーとを表示する処理を実行させる。また、表示プログラムは、コンピュータに、再生バーに複数のインデックスのそれぞれに対応するインジケータを配置する処理を実行させる。
【発明の効果】
【０００８】
本発明の１実施態様によれば、動画像の内容把握が容易にできる。
【図面の簡単な説明】
【０００９】
【図１】図１は、実施形態にかかるシステムの構成例を示すブロック図である。
【図２】図２は、インデックスデータを説明する説明図である。
【図３】図３は、アップロード処理を例示するフローチャートである。
【図４】図４は、実施形態にかかるシステムの動作例を示すラダーチャートである。
【図５】図５は、表示処理を例示するフローチャートである。
【図６】図６は、表示画面を説明する説明図である。
【図７】図７は、表示画面を説明する説明図である。
【図８】図８は、再生インジケータを説明する説明図である。
【図９】図９は、表示画面を説明する説明図である。
【図１０】図１０は、表示画面を説明する説明図である。
【図１１】図１１は、実施形態にかかる端末装置およびサーバ装置のハードウエア構成の一例を示すブロック図である。
【発明を実施するための形態】
【００１０】
以下、図面を参照して、実施形態にかかる表示プログラム、表示方法および表示装置を説明する。実施形態において同一の機能を有する構成には同一の符号を付し、重複する説明は省略する。なお、以下の実施形態で説明する表示プログラム、表示方法および表示装置は、一例を示すに過ぎず、実施形態を限定するものではない。また、以下の各実施形態は、矛盾しない範囲内で適宜組みあわせてもよい。
【００１１】
図１は、実施形態にかかるシステム１の構成例を示すブロック図である。図１に示すように、システム１は、インターネット等の通信ネットワークＮを介して互いに通信可能に接続された端末装置１０およびサーバ装置２０を有する。
【００１２】
端末装置１０は、例えば、ＰＣやスマートフォンなどのユーザが使用するコンピュータである。端末装置１０には、サーバ装置２０への動画像のアップロード（投稿）や、サーバ装置２０よりダウンロード（配信）された動画像の表示（再生）にかかるプログラムがインストールされる。かかるプログラムを端末装置１０のプロセッサ上で動作させることによって、端末装置１０は、一例として、表示画面上にサーバ装置２０から配信された動画像を再生するなどの各種機能を実現できる。
【００１３】
サーバ装置２０は、端末装置１０をクライアント端末として収容するクライアントサーバシステムのサーバ装置である。一実施形態として、サーバ装置２０には、パーソナルコンピュータやワークステーションなどの装置を採用できる。サーバ装置２０には、サーバ装置用のプログラムがインストールされる。サーバ装置２０は、このサーバ装置用のプログラムをプロセッサ上で動作させることによって、例えば、端末装置１０からの動画像の投稿や、投稿された動画像の配信などのサービスを提供する。
【００１４】
端末装置１０は、表示部１１、操作部１２、通信部１３および制御部１４を有する。
【００１５】
表示部１１は、ＬＣＤ（Liquid  Crystal  Display）などの表示デバイスであり、制御部１４の制御のもと表示を行う。操作部１２は、キーボード、マウス、タッチパネルなどの入力デバイスであり、ユーザからの操作を受け付けて制御部１４へ出力する。通信部１３は、制御部１４の制御のもと、通信ネットワークＮを介して接続する他の装置（例えばサーバ装置２０）との間で通信を行うインタフェースである。
【００１６】
制御部１４は、各種プログラムや制御データを格納する内部メモリを有し、これらによって種々の処理を実行するものである。一実施形態として、制御部１４は、中央処理装置、いわゆるＣＰＵ（Central  Processing  Unit）として実装される。なお、制御部１４は、必ずしも中央処理装置として実装されずともよく、ＭＰＵ（Micro  Processing  Unit）として実装されることとしてもよい。また、制御部１４は、ＡＳＩＣ（Application  Specific  Integrated  Circuit）やＦＰＧＡ（Field  Programmable  Gate  Array）などのハードワイヤードロジックによっても実現できる。
【００１７】
制御部１４は、プログラムを実行することで、表示部１１の表示画面における表示制御などの端末装置１０の各種動作を制御する。例えば、制御部１４は、ＧＵＩ（Graphical  User  Interface）におけるアイコン、ボタンなどのグラフィックを表示部１１の表示画面に表示させ、操作部１２による操作指示を受け付けて、操作に対応した処理結果を表示画面に表示させる。一例として、制御部１４は、動画像の編集、編集した動画像のサーバ装置２０への投稿、サーバ装置２０より配信された動画像の再生などを行う表示画面を表示部１１に表示させる（詳細は後述する）。
【００１８】
サーバ装置２０は、通信部２１、記憶部２２および制御部２３を有する。
【００１９】
通信部２１は、制御部２３の制御のもと、通信ネットワークＮを介して接続する他の装置（例えば端末装置１０）との間で通信を行うインタフェースである。
【００２０】
記憶部２２は、制御部２３で実行される各種プログラムおよび各種プログラムに用いられるデータを記憶する記憶デバイスである。一実施形態として、記憶部２２は、装置における主記憶装置として実装される。例えば、記憶部２２には、各種の半導体メモリ素子、例えばＲＡＭ（Random  Access  Memory)やフラッシュメモリを採用できる。また、記憶部２２は、補助記憶装置として実装することもできる。この場合、ＨＤＤ（Hard  Disk  Drive）、光ディスクやＳＳＤ（Solid  State  Drive）などを採用できる。
【００２１】
記憶部２２は、端末装置１０よりユーザが投稿した動画像の動画像データ２２ａおよびインデックスデータ２２ｂを格納する。動画像データ２２ａは、所定の規格（例えばＨ．２６４など）の動画像のデータである。インデックスデータ２２ｂは、動画像データ２２ａの動画像についてシーン別に分割した複数のインデックスが定義されたデータである。
【００２２】
図２は、インデックスデータ２２ｂを説明する説明図である。図２に示すように、インデックスデータ２２ｂには、「動画像名」で定義された動画像ごとに、シーン別に分割した複数のインデックスについての情報（「インデックス番号」、「再生時間」、「インデックス名称」、「コメント」、「表示設定」など）が定義されている。
【００２３】
具体的には、「動画像名」の項目には、「ＡＡＡＡ」などの動画像の名称により、動画像データ２２ａにおける動画像を識別するための情報が定義されている。したがって、「動画像名」を参照することで、動画像ごとに定義されたインデックスを特定できる。
【００２４】
「インデックス番号」の項目には、各インデックスを識別する番号が定義されている。例えば、「インデックス番号」には、シーン別に分割した複数のインデックスについて、動画像におけるシーンの再生順に「１」から割り当てられた番号が定義されている。これにより、「インデックス番号」を参照することで、インデックスの総数やインデックスの再生順位を特定できる。
【００２５】
「再生時間」の項目には、動画像の総再生時間において各インデックスの再生開始位置を示す時間が定義さている。したがって、「再生時間」を参照することで、各インデックスの再生開始位置を特定できる。
【００２６】
「インデックス名称」の項目には、各インデックスの名称、すなわち各インデックスにおけるシーンの主題を示す名称がテキストで定義されている。例えば、動画像名「ＡＡＡＡ」のインデックス番号「１」のシーンについて、建物の外観を主に撮影した内容である場合には、「外観」などの名称が定義される。したがって、「インデックス名称」を参照することで、各インデックスにおいて定義されている名称（テキスト）を特定できる。
【００２７】
「コメント」の項目には、各インデックスにおけるシーンの内容がテキストで定義されている。例えば、動画像名「ＡＡＡＡ」のインデックス番号「１」のシーンについて、建物の外観を主に撮影した内容である場合には、「外観のご説明画像です」などのコメントが定義される。したがって、「コメント」を参照することで、各インデックスにおいて定義されているシーンの内容（テキスト）を特定できる。
【００２８】
「表示設定」の項目には、インデックスを表示画面上に表示する際の表示態様にかかる設定内容が定義されている。例えば、動画像名「ＡＡＡＡ」のインデックス番号「１」のインデックスについては、「青」の色で表示する設定内容が定義されている。したがって、「表示設定」を参照することで、各インデックスを表示画面上に表示する際の表示態様を特定できる。なお、「表示設定」の項目で定義される表示態様については、色以外のものであってもよく、例えば、明度、彩度、網掛け種類などであってもよい。
【００２９】
制御部２３は、各種プログラムや制御データによって種々の処理を実行するものである。一実施形態として、制御部２３は、中央処理装置、いわゆるＣＰＵとして実装される。制御部２３は、プログラムを実行することで、端末装置１０からの動画像の投稿や、投稿された動画像の配信などの各種サービスを実現する。具体的には、制御部２３は、端末装置１０からの動画像の投稿時において、端末装置１０よりアップロードされた動画像データ２２ａおよびインデックスデータ２２ｂを記憶部２２に記憶させる。また、制御部２３は、端末装置１０より配信が要求された動画像の動画像データ２２ａおよびインデックスデータ２２ｂを記憶部２２より読み出し、通信部２１より端末装置１０へ送信する。
【００３０】
次に、システム１における動作の詳細について説明する。図３は、アップロード処理を例示するフローチャートである。
【００３１】
図３に示すように、処理が開始されると、端末装置１０の制御部１４は、アップロードする動画像について、シーン別に分割した複数のインデックスについての各種設定を行う（Ｓ１）。具体的には、制御部１４は、アップロードする動画像の各種設定を行う表示画面を表示部１１に表示させ、操作部１２よりユーザの操作を受け付けることで、動画像における各インデックスの設定を行う。例えば、表示画面上のボタン選択、テキストボックスへの入力などのＧＵＩ操作により、動画像におけるインデックスの区切り位置（再生開始位置）、インデックスの名称、コメント、表示設定などの設定を行う。
【００３２】
次いで、制御部１４は、表示部１１の表示画面上に、設定されたインデックスについてのテスト表示を行う（Ｓ２）。例えば、動画像の各インデックスについて設定された再生開始位置からの再生を行う。これにより、ユーザは、Ｓ１の設定内容を再確認できる。
【００３３】
次いで、制御部１４は、操作部１２によるアップロードの指示操作などをもとに、アップロードする動画像のインデックスについての設定がＯＫであるか否かを判定する（Ｓ３）。インデックスについての設定がＯＫでない場合（Ｓ３：ＮＯ）、制御部１４はＳ１へ処理を戻す。
【００３４】
インデックスについての設定がＯＫである場合（Ｓ３：ＹＥＳ）、制御部１４は、Ｓ１の設定内容をもとにアップロードする動画像のインデックスデータ２２ｂを生成し（Ｓ４）、動画像の動画像データ２２ａとともにサーバ装置２０へアップロードする（Ｓ５）。サーバ装置２０の制御部２３は、端末装置１０よりアップロードされた動画像データ２２ａおよびインデックスデータ２２ｂを記憶部２２に格納する。
【００３５】
図４は、実施形態にかかるシステム１の動作例を示すラダーチャートである。具体的には、図４は、システム１における動画像の配信にかかる具体的な処理を説明する図である。
【００３６】
図４に示すように、端末装置１０の制御部１４は、通信部１３を介したサーバ装置２０への通信により、動画像名などを指定した動画像の配信をサーバ装置２０に対して要求する（Ｓ１０）。サーバ装置２０の制御部２３は、動画像名などで指定された動画像データ２２ａおよびインデックスデータ２２ｂを記憶部２２より読み出す（Ｓ１１）。次いで、制御部２３は、読み出した動画像データ２２ａおよびインデックスデータ２２ｂを通信部２１を介して端末装置１０へ送信する（Ｓ１２）。端末装置１０の制御部１４は、サーバ装置２０より受信した動画像データ２２ａおよびインデックスデータ２２ｂをもとに、表示部１１の表示画面上に動画像を表示する表示処理を行う（Ｓ１３）。
【００３７】
図５は、表示処理を例示するフローチャートである。図５に示すように、表示処理が開始されると、制御部１４は、受信した動画像データ２２ａに基づく動画像を表示画面上に表示させる（Ｓ２０）。
【００３８】
図６、７は、表示画面Ｇを説明する説明図である。図６に示すように、表示画面Ｇは、動画像Ｇ１０と、この動画像Ｇ１０の周囲において再生バーＧ２０およびインデックス表示領域Ｇ３０とを有する。Ｓ２０では、受信した動画像データ２２ａがそのまま動画像Ｇ１０として表示画面Ｇに表示される。
【００３９】
次いで、制御部１４は、受信したインデックスデータ２２ｂをもとに、表示画面Ｇにおける動画像Ｇ１０の近接におけるインデックス表示領域Ｇ３０において、設定されたインデックスに対応するインデックス画像Ｇ３１〜Ｇ３５の表示を行う（Ｓ２１）。具体的には、制御部１４は、インデックスデータ２２ｂの「インデックス名称」に定義されたテキストの内容を、「表示設定」に定義された表示態様のインデックス画像Ｇ３１〜Ｇ３５として表示する。これにより、ユーザは、インデックス画像Ｇ３１〜Ｇ３５のテキストをもとに、動画像Ｇ１０における各インデックスの内容（主題）を容易に把握できる。
【００４０】
なお、インデックス画像Ｇ３１〜Ｇ３５の表示を行うインデックス表示領域Ｇ３０の位置は、動画像Ｇ１０の近傍にあればよく、図６に例示した動画像Ｇ１０の上部に限定しない。例えば、図７に示すように、インデックス表示領域Ｇ３０の位置は動画像Ｇ１０の横であってもよい。
【００４１】
また、各インデックスに対応するインデックス画像Ｇ３１〜Ｇ３５は、動画像Ｇ１０においてインデックスのシーンが登場する順に、均等間隔にインデックス表示領域Ｇ３０に表示される。具体的には、制御部１４は、インデックスデータ２２ｂの「インデックス番号」に定義された再生順に設定を読み出してインデックス画像Ｇ３１〜Ｇ３５を表示することで、インデックスのシーンが登場する順にインデックス画像Ｇ３１〜Ｇ３５を表示する。
【００４２】
また、制御部１４は、インデックス表示領域Ｇ３０における表示幅を「インデックス番号」より得られたインデックスの総数で割ることで、各インデックス画像を均等に配置する際の表示幅を求める。次いで、制御部１４は、求められた表示幅のインデックス画像Ｇ３１〜Ｇ３５を、インデックス表示領域Ｇ３０の表示開始位置から順に表示することで、再生順に均等間隔での表示を行う。これにより、ユーザは、インデックスのシーンが登場する順序（再生順）を容易に把握できる。
【００４３】
なお、各インデックス画像の表示幅については、テキストの内容を表示できる程度の表示幅を最低値として予め設定しておくものとする。制御部１４は、インデックスの総数が多く、求められた表示幅が最低値を下回る場合、各インデックス画像の表示幅を最低値としてインデックス画像Ｇ３１〜Ｇ３５をインデックス表示領域Ｇ３０に表示する。そして、制御部１４は、インデックス表示領域Ｇ３０に表示しきれないインデックス画像を表示するためのスライダＧ３６（図７参照）を表示画面Ｇに表示する。
【００４４】
次いで、制御部１４は、動画像Ｇ１０の近傍（図６、７の例では動画像Ｇ１０の下部）において、動画像Ｇ１０の開始から終了までの再生位置に対応する再生バーＧ２０（シークバーとも呼ばれる場合がある）を表示させる。例えば、再生バーＧ２０は、長尺方向における両端が動画像Ｇ１０の開始位置または終了位置に対応している帯状の画像である。次いで、制御部１４は、動画像Ｇ１０の現在の再生位置およびインデックスデータ２２ｂにおいて設定された各インデックスの再生位置を示す再生インジケータを再生バーＧ２０上に表示させる（Ｓ２２）。
【００４５】
具体的には、制御部１４は、動画像Ｇ１０の現在の再生位置に対応する再生位置インジケータＧ２１を再生バーＧ２０に表示させる。なお、動画像Ｇ１０の再生開始前においては、再生バーＧ２０の端部（開始位置）に再生位置インジケータＧ２１が表示される。
【００４６】
また、制御部１４は、インデックスデータ２２ｂの「再生時間」に定義された各インデックスの再生開始位置に対応するインデックス位置インジケータＧ２２〜Ｇ２５を、「表示設定」に定義された表示態様で表示させる。これにより、インデックス画像Ｇ３２〜Ｇ３５に対応するインデックス位置インジケータＧ２２〜Ｇ２５が互いに同じ表示態様で再生バーＧ２０上の再生開始位置に表示される（例えば図６、７参照）。
【００４７】
したがって、ユーザは、インデックス画像Ｇ３２〜Ｇ３５で示された内容の再生開始位置を容易に把握することができる。なお、動画像Ｇ１０の再生開始当初のインデックス画像Ｇ３１については、再生バーＧ２０の端部（開始位置）がインデックスの再生開始位置となることから、インデックス位置インジケータの表示を省略している。また、図６に示すように、インデックス位置インジケータＧ２２〜Ｇ２５の表示が動画像Ｇ１０の表示領域にかかる場合、制御部１４は、オーバレイでインデックス位置インジケータＧ２２〜Ｇ２５を表示してもよい。
【００４８】
図８は、再生インジケータを説明する説明図である。図８に示すように、再生バーＧ２０上には、動画像Ｇ１０の現在の再生位置に対応する再生位置インジケータＧ２１が表示される。これにより、ユーザは、動画像Ｇ１０の総再生時間における現在の再生位置、総再生時間に対する再生済である時間の割合などを容易に把握できる。
【００４９】
また、総再生時間が６：００の動画像Ｇ１０において、２：３０（４２％）の再生位置がインデックス「外観」とインデックス「客室」との区切り位置であるものとする。この場合、再生バーＧ２０上のインデックス「客室」の再生開始位置（区切り位置）に対応する位置に、インデックス「客室」に応じた表示態様のインデックス位置インジケータＧ２２が表示される。例えば、再生バーＧ２０上の開始から終了までの長さの４２％の位置にインデックス位置インジケータＧ２２が表示される。したがって、ユーザは、総再生時間におけるインデックス「客室」の再生開始位置（総再生時間に対する割り合い）を容易に把握することができる。
【００５０】
Ｓ２２に次いで、制御部１４は、操作部１２によるマウスカーソルＧ４０の操作における操作内容を判定する（Ｓ２３）。ここで、操作内容の具体例としては、動画像Ｇ１０の「再生」を指示する操作、インデックス画像Ｇ３１〜Ｇ３５またはインデックス位置インジケータＧ２２〜Ｇ２５を指示する「インデックス指定」の操作または「なし」がある。操作部１２における操作が「なし」である場合、制御部１４はＳ３２へ処理を進める。
【００５１】
動画像Ｇ１０の「再生」を指示するものである場合、制御部１４は、動画像データ２２ａを順次読み出して動画像Ｇ１０の再生を開始する（Ｓ２４）。次いで、制御部１４は、動画像Ｇ１０の再生開始後の再生時間に応じて再生バーＧ２０上の再生位置インジケータＧ２１の位置を更新し（Ｓ２５）、Ｓ３２へ処理を進める。
【００５２】
「インデックス指定」を指示するものである場合、制御部１４は、マウスカーソルＧ４０をインデックス画像Ｇ３１〜Ｇ３５またはインデックス位置インジケータＧ２２〜Ｇ２５に合わせた指示であり、例えばクリックなどの指示がなされていない「マウスオン」であるか否かを判定する（Ｓ２６）。
【００５３】
「マウスオン」ではなく、例えばクリックなどの指示がなされている場合（Ｓ２６：ＮＯ）、制御部１４は、インデックス画像Ｇ３１〜Ｇ３５またはインデックス位置インジケータＧ２２〜Ｇ２５で指示されたインデックスの「再生時間」をインデックスデータ２２ｂより読み出す（Ｓ２７）。
【００５４】
次いで、制御部１４は、読み出した再生時間に対応する位置に動画像Ｇ１０の表示位置（再生位置）をジャンプさせる（Ｓ２８）。次いで、制御部１４は、ジャンプした再生位置に応じて再生バーＧ２０上の再生位置インジケータＧ２１の位置を更新し（Ｓ２９）、Ｓ３２へ処理を進める。これにより、端末装置１０は、「インデックス指定」において指定されたインデックスの再生開始位置から動画像Ｇ１０の再生を行うことができる。
【００５５】
「マウスオン」の指示である場合（Ｓ２６：ＹＥＳ）、制御部１４は、インデックス画像Ｇ３１〜Ｇ３５またはインデックス位置インジケータＧ２２〜Ｇ２５で指示されたインデックスの「インデックス名称」、「コメント」をインデックスデータ２２ｂより読み出す（Ｓ３０）。次いで、制御部１４は、読み出した名称、コメントを表示画面Ｇに表示させ（Ｓ３１）、Ｓ３２へ処理を進める。
【００５６】
図９は、表示画面Ｇを説明する説明図であり、より具体的にはマウスカーソルＧ４０をインデックス位置インジケータＧ２２にマウスオンした場合のポップアップ表示Ｇ２２ａを説明する図である。図９に示すように、インデックス位置インジケータＧ２２にマウスカーソルＧ４０をマウスオンとした場合、インデックス位置インジケータＧ２２に対応する名称やコメントなどのポップアップ表示Ｇ２２ａが表示画面Ｇに表示される（図９は名称の表示例）。これにより、ユーザは、マウスオンにより指示したインデックスの内容をポップアップ表示Ｇ２２ａで確認することができる。
【００５７】
なお、マウスオンなどの指示によるインデックスの内容の表示は、動画像Ｇ１０における現在の再生位置に対応した、再生中のインデックスの内容であってもよい。
【００５８】
図１０は、表示画面Ｇを説明する説明図である。具体的には、図１０は、マウスカーソルＧ４０をコメント表示領域Ｇ５０にマウスオンした場合に再生中のインデックスの内容（図示例ではコメント）の表示例を説明する図である。
【００５９】
図１０に示すように、制御部１４は、動画像Ｇ１０の近傍（図示例では上部）に配置されたコメント表示領域Ｇ５０にマウスカーソルＧ４０のマウスオンを検出した場合、インデックスデータ２２ｂの「再生時間」をもとに現在再生中のインデックスを特定する。次いで、制御部１４は、特定したインデックスの内容（「名称」、「コメント」など）をインデックスデータ２２ｂより取得してコメント表示領域Ｇ５０に表示させる。これにより、ユーザは、現在再生中であるインデックスの内容を容易に把握できる。
【００６０】
図５に戻り、Ｓ３２において、制御部１４は、動画像Ｇ１０の再生終了の有無を判定する。具体的には、制御部１４は、動画像Ｇ１０の終了まで再生した場合や、操作部１２において終了指示を受け付けた場合は再生終了と判定する。再生終了ではない場合（Ｓ３２：ＮＯ）、制御部１４はＳ２３へ処理を戻し動画像Ｇ１０の再生表示を継続する。また、再生終了の場合（Ｓ３２：ＹＥＳ）、制御部１４は表示処理を終了する。
【００６１】
以上のように、端末装置１０は、動画像Ｇ１０の近傍において、動画像Ｇ１０のシーン別に分割した複数のインデックスごとの前記シーンの内容を示すインデックス画像Ｇ３１〜Ｇ３５と、動画像Ｇ１０の再生位置を示す再生バーＧ２０とを表示する。また、端末装置１０は、再生バーＧ２０に複数のインデックスのそれぞれに対応するインデックス位置インジケータＧ２２〜Ｇ２５を配置する。したがって、ユーザは、インデックス画像Ｇ３１〜Ｇ３５と、再生バーＧ２０に配置されたインデックス位置インジケータＧ２２〜Ｇ２５とを参照して動画像の内容把握を容易に行うことができる。
【００６２】
なお、図示した各装置の各構成要素は、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００６３】
例えば、本実施形態では端末装置１０およびサーバ装置２０を含むクライアント・サーバ（Ｃ／Ｓ）モデルのシステム１を例示したが、動画像データ２２ａおよびインデックスデータ２２ｂを自装置内に記憶する端末装置１０単体の装置構成で実現してもよい。また、また、Ｃ／Ｓモデルのサーバ装置２０は、クラウドコンピューティングとしてもよい。
【００６４】
また、インデックス画像Ｇ３１〜Ｇ３５、インデックス位置インジケータＧ２２〜Ｇ２５などの形状、表示色などのレイアウトは、図示例に限定するものではなく、例えばアイコン画像のような形状としてもよい。また、動画像Ｇ１０の表示領域にインデックス位置インジケータＧ２２〜Ｇ２５がかかる場合のオーバレイ表示については、オーバレイの表示／非表示をＧＵＩにより選択可能としてもよい。
【００６５】
また、端末装置１０およびサーバ装置２０で行われる各種処理機能は、ＣＰＵ（またはＭＰＵ、ＭＣＵ（Micro  Controller  Unit）等のマイクロ・コンピュータ）上で、その全部または任意の一部を実行するようにしてもよい。また、各種処理機能は、ＣＰＵ（またはＭＰＵ、ＭＣＵ等のマイクロ・コンピュータ）で解析実行されるプログラム上、またはワイヤードロジックによるハードウエア上で、その全部または任意の一部を実行するようにしてもよいことは言うまでもない。
【００６６】
ところで、上記の実施形態で説明した各種の処理は、予め用意されたプログラムをコンピュータで実行することで実現できる。そこで、以下では、上記の実施例と同様の機能を有するプログラムを実行するコンピュータ（ハードウエア）の一例を説明する。図１１は、実施形態にかかる端末装置１０およびサーバ装置２０のハードウエア構成の一例を示すブロック図である。
【００６７】
図１１が示すように、端末装置１０およびサーバ装置２０は、各種演算処理を実行するＣＰＵ１０１と、データ入力を受け付ける入力装置１０２と、モニタ１０３と、スピーカ１０４とを有する。また、システム１は、記憶媒体からプログラム等を読み取る媒体読取装置１０５と、各種装置と接続するためのインタフェース装置１０６と、有線または無線により外部機器と通信接続するための通信装置１０７とを有する。また、端末装置１０およびサーバ装置２０は、各種情報を一時記憶するＲＡＭ１０８と、ハードディスク装置１０９とを有する。また、端末装置１０およびサーバ装置２０内の各部（１０１〜１０９）は、バス１１０に接続される。
【００６８】
ハードディスク装置１０９には、上記の実施形態で説明した制御部１４、２３における各種の処理を実行するためのプログラム１１１が記憶される。また、ハードディスク装置１０９には、プログラム１１１が参照する各種データ１１２（動画像データ２２ａ、インデックスデータ２２ｂなど）が記憶される。入力装置１０２は、例えば、端末装置１０およびサーバ装置２０の操作者から操作情報の入力を受け付ける。モニタ１０３は、例えば、操作者が操作する各種画面を表示する。インタフェース装置１０６は、例えば印刷装置等が接続される。通信装置１０７は、ＬＡＮ（Local  Area  Network）等の通信ネットワークと接続され、通信ネットワークを介した外部機器との間で各種情報をやりとりする。
【００６９】
ＣＰＵ１０１は、ハードディスク装置１０９に記憶されたプログラム１１１を読み出して、ＲＡＭ１０８に展開して実行することで、各種の処理を行う。なお、プログラム１１１は、ハードディスク装置１０９に記憶されていなくてもよい。例えば、端末装置１０およびサーバ装置２０が読み取り可能な記憶媒体に記憶されたプログラム１１１を読み出して実行するようにしてもよい。端末装置１０およびサーバ装置２０が読み取り可能な記憶媒体は、例えば、ＣＤ−ＲＯＭやＤＶＤディスク、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ等に接続された装置にこのプログラムを記憶させておき、端末装置１０およびサーバ装置２０がこれらからプログラムを読み出して実行するようにしてもよい。
【符号の説明】
【００７０】
１…システム
１０…端末装置
１１…表示部
１２…操作部
１３…通信部
１４…制御部
２０…サーバ装置
２２ａ…動画像データ
２２ｂ…インデックスデータ
１０１…ＣＰＵ
１１１…プログラム
Ｇ…表示画面
Ｇ１０…動画像
Ｇ２０…再生バー
Ｇ２１…再生位置インジケータ
Ｇ２２〜Ｇ２５…インデックス位置インジケータ
Ｇ２２ａ…ポップアップ表示
Ｇ３０…インデックス表示領域
Ｇ３１〜Ｇ３５…インデックス
Ｇ４０…マウスカーソル
Ｇ５０…コメント表示領域
Ｎ…通信ネットワーク
【図１】
2017092654.tif 000003
【図２】
2017092654.tif 000004
【図３】
2017092654.tif 000005
【図４】
2017092654.tif 000006
【図５】
2017092654.tif 000007
【図６】
2017092654.tif 000008
【図７】
2017092654.tif 000009
【図８】
2017092654.tif 000010
【図９】
2017092654.tif 000011
【図１０】
2017092654.tif 000012
【図１１】
2017092654.tif 000013